(57)【特許請求の範囲】
【請求項１】
画像データおよび前記画像データと関連づけられた音声データまたは線画データを記録する記録手段と、
所定の位置に固定配置され、前記記録手段に記録された画像データの再生を指示するために操作されるキーと、
前記キーにより再生が指示された画像データを再生する再生手段と、
前記再生が指示された画像データの再生中に、前記キーが操作されたとき、前記再生が指示された画像データと関連づけられた音声データまたは線画データを再生するように前記再生手段を制御する制御手段と
を備えることを特徴とする情報処理装置。
【請求項２】
前記制御手段は、前記再生が指示された画像データの再生中に前記キーが操作されたとき、前記再生が指示された画像データの再生を継続したまま、前記再生が指示された画像データと関連づけられた音声データまたは線画データを再生するように前記再生手段を制御する
ことを特徴とする請求項１に記載の情報処理装置。
【請求項３】
前記制御手段は、前記再生が指示された画像データの再生が開始された後、前記キーが操作される毎に、前記再生が指示された画像データ、および、前記再生が指示された画像データと関連づけられた音声データまたは線画データを順次再生するように前記再生手段を制御する
ことを特徴とする請求項１に記載の情報処理装置。
【請求項４】
画像データおよび前記画像データと関連づけられた音声データまたは線画データを記録する記録手段と、所定の位置に固定配置され、前記記録手段に記録された画像データの再生を指示するために操作されるキーと、前記キーにより再生が指示された画像データを再生する再生手段とを備える情報処理装置のコンピュータに処理を実行させるプログラムであって、
前記再生が指示された画像データの再生中に、前記キーが操作されたとき、前記再生が指示された画像データと関連づけられた音声データまたは線画データを再生するように前記再生手段を制御する制御ステップを
含むプログラムが記憶されていることを特徴とする記憶媒体。
【発明の詳細な説明】
【０００１】
【発明の属する技術分野】
本発明は、情報処理装置および記憶媒体に関し、例えば、関連する情報を容易に再生することができるようにした情報処理装置および記憶媒体に関する。
【０００２】
【従来の技術】
近年、フィルムを使用したカメラに代わって、ＣＣＤ等を用いて被写体の画像を撮影し、それをディジタルのデータに変換して内蔵するメモリや、着脱可能なメモリカード等に記録する電子カメラが用いられるようになってきている。この電子カメラを用いて撮影した画像は、従来のカメラのように現像、焼き付けを経ることなく、即座に再生し、ＬＣＤまたはＣＲＴ等の画面に表示することができる。
【０００３】
また、音声等を画像に関連づけて記録することができ、音声と画像とを同時にまたは別々に再生することができるようにしたものがある。
【０００４】
【発明が解決しようとする課題】
しかしながら、互いに関連する複数の情報の中の所定の情報を再生している場合において、他の関連する情報を即座に再生することができない場合がある課題があった。
【０００５】
本発明はこのような状況に鑑みてなされたものであり、互いに関連する複数の情報の所定のものを再生している場合、関連する他の情報を即座に再生することができるようにするものである。
【０００６】
【課題を解決するための手段】
請求項１に記載の情報処理装置は、画像データおよび画像データと関連づけられた音声データまたは線画データを記録する記録手段（例えば、図６のメモリカード２４）、所定の位置に固定配置され、記録手段に記録された画像データの再生を指示するために操作されるキー（例えば、図２の実行キー７Ｂ）と、キーにより再生が指示された画像データを再生する再生手段（例えば、図６のＬＣＤ６とスピーカ５）と、再生が指示された画像データの再生中に、キーが操作されたとき、再生が指示された画像データと関連づけられた音声データまたは線画データを再生するように再生手段を制御する制御手段（例えば、図６のＣＰＵ３９）とを備えることを特徴とする。
【０００８】
また、制御手段は、再生が指示された画像データの再生中にキーが操作されたとき、再生が指示された画像データの再生を継続したまま、再生が指示された画像データと関連づけられた音声データまたは線画データを再生するように再生手段を制御するようにすることができる。
【０００９】
また、再生が指示された画像データの再生が開始された後、キーが操作される毎に、再生が指示された画像データ、および、再生が指示された画像データと関連づけられた音声データまたは線画データを順次再生するように再生手段を制御するようにすることができる。
【００１０】
請求項４に記載の記憶媒体は、画像データおよび画像データと関連づけられた音声データまたは線画データを記録する記録手段と、所定の位置に固定配置され、記録手段に記録された画像データの再生を指示するために操作されるキーと、キーにより再生が指示された画像データを再生する再生手段とを備える情報処理装置のコンピュータに処理を実行させるプログラムであって、再生が指示された画像データの再生中に、キーが操作されたとき、再生が指示された画像データと関連づけられた音声データまたは線画データを再生するように再生手段を制御する制御ステップを含むプログラムが記憶されていることを特徴とする。
【００１１】
請求項１に記載の情報処理装置においては、記録手段が、画像データおよび画像データと関連づけられた音声データまたは線画データを記録し、所定の位置に固定配置されたキーが、記録手段に記録された画像データの再生を指示するために操作され、再生手段が、キーにより再生が指示された画像データを再生し、制御手段が、再生が指示された画像データの再生中に、キーが操作されたとき、再生が指示された画像データと関連づけられた音声データまたは線画データを再生するように再生手段を制御する。
【００１２】
請求項４に記載の記憶媒体においては、再生が指示された画像データの再生中に、所定の位置に固定配置され、記録手段に記録された画像データの再生を指示するために操作されるキーが操作されたとき、再生が指示された画像データと関連づけられた音声データまたは線画データを再生するように再生手段を制御する制御ステップを含むプログラムが記憶されている。
【００１３】
【発明の実施の形態】
以下、本発明の実施の形態を図面を参照して説明する。
【００１４】
図１及び図２は、本発明を適用した電子カメラの一実施の形態の構成例を示す斜視図である。本実施の形態の電子カメラにおいては、被写体を撮影する場合において、被写体に向けられる面が面Ｘ１とされ、ユーザ側に向けられる面が面Ｘ２とされている。面Ｘ１の上端部には、被写体の撮影範囲の確認に用いられるファインダ２、被写体の光画像を取り込む撮影レンズ３、及び被写体を照明する光を発光する発光部（ストロボ）４が設けられている。
【００１５】
さらに、面Ｘ１には、ストロボ４を発光させて撮影を行うときに、ストロボ４を発光させる前に発光させて赤目を軽減する赤目軽減ＬＥＤ１５、ＣＣＤ２０（図４）の動作を停止させているときに測光を行う測光素子１６、および、ＣＣＤ２０の動作を停止させているときに測色を行う測色素子１７が設けられている。
【００１６】
一方、面Ｘ１に対向する面Ｘ２の上端部（面Ｘ１のファインダ２、撮影レンズ３、発光部４が形成されている上端部に対応する位置）には、上記ファインダ２、及びこの電子カメラ１に記録されている音声を出力するスピーカ５が設けられている。また、面Ｘ２に形成されているＬＣＤ６及び操作キー７は、ファインダ２、撮影レンズ３、発光部４及びスピーカ５よりも、鉛直下側に形成されている。ＬＣＤ６の表面上には、後述するペン型指示装置の接触操作により、指示された位置に対応する位置データを出力する、いわゆるタッチタブレット６Ａが配置されている。
【００１７】
このタッチタブレット６Ａは、ガラス、樹脂等の透明な材料によって構成されており、ユーザは、タッチタブレット６Ａの内側に形成されているＬＣＤ６に表示される画像を、タッチタブレット６Ａを介して観察することができる。
【００１８】
操作キー７は、ＬＣＤ６に記録データを再生表示する場合などに操作されるキーであり、ユーザによる操作（入力）を検知し、ＣＰＵ（central processing unit）３９（図６）に供給するようになされている。
【００１９】
操作キー７のうちのメニューキー７Ａは、ＬＣＤ６上にメニュー画面を表示する場合に操作されるキーである。実行キー７Ｂは、ユーザによって選択された記録情報を再生する場合に操作されるキーである。
【００２０】
キャンセルキー７Ｃは、記録情報の再生処理を中断する場合に操作されるキーである。デリートキー７Ｄは、記録した情報を削除する場合に操作されるキーである。スクロールキー７Ｅ乃至７Ｈは、ＬＣＤ６に記録情報の一覧が表示されている場合において、画面を上下方向にスクロールさせるときに操作されるキーである。
【００２１】
面Ｘ２には、ＬＣＤ６を使用していないときに保護する、摺動自在なＬＣＤカバー１４が設けられている。ＬＣＤカバー１４は、鉛直上方向に移動させた場合、図３に示すように、ＬＣＤ６及びタッチタブレット６Ａを覆うようになされている。また、ＬＣＤカバー１４を鉛直下方向に移動した場合、ＬＣＤ６及びタッチタブレット６Ａが現れるとともに、ＬＣＤカバー１４の腕部１４Ａによって、面Ｙ２に配置された電源スイッチ１１（後述）がオン状態に切り換えられるようになされている。
【００２２】
この電子カメラ１の上面である面Ｚには、音声を集音するマイクロホン８、及び図示せぬイヤホンが接続されるイヤホンジャック９が設けられている。
【００２３】
左側面（面Ｙ１）には、被写体を撮像するときに操作されるレリーズスイッチ１０と、撮影時の連写モードを切り換えるときに操作される連写モード切り換えスイッチ１３が設けられている。このレリーズスイッチ１０及び連写モード切り換えスイッチ１３は、面Ｘ１の上端部に設けられているファインダ２、撮影レンズ３及び発光部４よりも鉛直下側に配置されている。
【００２４】
一方、面Ｙ１に対向する面Ｙ２（右側面）には、音声を録音するときに操作される録音スイッチ１２と、電源スイッチ１１が設けられている。この録音スイッチ１２及び電源スイッチ１１は、上記レリーズスイッチ１０及び連写モード切り換えスイッチ１３と同様に、面Ｘ１の上端部に設けられているファインダ２、撮影レンズ３及び発光部４よりも鉛直下側に配置されている。また、録音スイッチ１２は、面Ｙ１のレリーズスイッチ１０とほぼ同じ高さに形成されており、左右どちらの手で持っても、違和感のないように構成されている。
【００２５】
なお、録音スイッチ１２とレリーズスイッチ１０の高さを、あえて異ならせることにより、一方のスイッチを押す場合に、この押圧力によるモーメントを打ち消すために反対側の側面を指で保持したとき、誤ってこの反対側の側面に設けられたスイッチが押されてしまわないようにしてもよい。
【００２６】
上記連写モード切り換えスイッチ１３は、ユーザがレリーズスイッチ１０を押して被写体を撮影するとき、被写体を１コマだけ撮影するのか、または、所定の複数コマ撮影するのかを設定する場合に用いられる。例えば、連写モード切り換えスイッチ１３の指針が「Ｓ」と印刷された位置に切り換えられている（すなわち、Ｓモードに切り換えられている）場合において、レリーズスイッチ１０が押されると、１コマだけ撮影が行われるようになされている。
【００２７】
また、連写モード切り換えスイッチ１３の指針が「Ｌ」と印刷された位置に切り換えられている（すなわち、Ｌモードに切り換えられている）場合において、レリーズスイッチ１０が押されると、レリーズスイッチ１０の押されている期間中、１秒間に８コマの撮影が行われるようになされている（すなわち、低速連写モードになる）。
【００２８】
さらに、連写モード切り換えスイッチ１３の指針が「Ｈ」と印刷された位置に切り換えられている（すなわち、Ｈモードに切り換えられている）場合において、レリーズスイッチ１０が押されると、レリーズスイッチ１０の押されている期間中、１秒間に３０コマの撮影が行われるようになされている（すなわち、高速連写モードになる）。
【００２９】
次に、電子カメラ１の内部の構成について説明する。図４は、図１及び図２に示す電子カメラの内部の構成例を示す斜視図である。ＣＣＤ２０は、撮影レンズ３の後段（面Ｘ２側）に設けられており、撮影レンズ３を介して結像する被写体の光画像を電気信号に光電変換するようになされている。
【００３０】
ファインダ内表示素子２６は、ファインダ２の視野内に配置され、ファインダ２を介して被写体を視ているユーザに対して、各種機能の設定状態などを表示するようになされている。
【００３１】
ＬＣＤ６の鉛直下側には、円柱形状の４本のバッテリ（単３の乾電池）２１が縦に並べられており、このバッテリ２１に蓄積されている電力が各部に供給されるようになされている。さらに、ＬＣＤ６の鉛直下側には、バッテリ２１とともに、発光部４に光を発光させるための電荷を蓄積するコンデンサ２２が配置されている。
【００３２】
回路基板２３には、この電子カメラ１の各部を制御する、種々の制御回路が形成されている。また、回路基板２３と、ＬＣＤ６及びバッテリ２１の間には、挿抜可能なメモリカード２４が設けられており、この電子カメラ１に入力される各種の情報が、それぞれ、メモリカード２４の予め設定されている領域に記録されるようになされている。
【００３３】
さらに、電源スイッチ１１に隣接して配置されているＬＣＤスイッチ２５は、その突起部が押圧されている間のみオン状態となるスイッチであり、ＬＣＤカバー１４を鉛直下方向に移動させた場合、図５（ａ）に示すように、ＬＣＤカバー１４の腕部１４Ａによって、電源スイッチ１１とともにオン状態に切り換えられるようになされている。
【００３４】
なお、ＬＣＤカバー１４が鉛直上方向に位置する場合、電源スイッチ１１は、ＬＣＤスイッチ２５とは独立に、ユーザによって操作される。例えば、ＬＣＤカバー１４が閉じられ、電子カメラ１が使用されていない場合、図５（ｂ）に示すように、電源スイッチ１１及びＬＣＤスイッチ２５がオフ状態になっている。この状態において、ユーザが電源スイッチ１１を図５（ｃ）に示すように、オン状態に切り換えると、電源スイッチ１１はオン状態となるが、ＬＣＤスイッチ２５は、オフ状態のままである。一方、図５（ｂ）に示すように、電源スイッチ１１及びＬＣＤスイッチ２５がオフ状態になっているとき、ＬＣＤカバー１４が開かれると、図５（ａ）に示すように、電源スイッチ１１及びＬＣＤスイッチ２５がオン状態となる。そして、この後、ＬＣＤカバー１４を閉じると、ＬＣＤスイッチ２５だけが、図５（ｃ）に示すように、オフ状態となる。
【００３５】
なお、本実施の形態においては、メモリカード２４は挿抜可能とされているが、回路基板２３上にメモリを設け、そのメモリに各種情報を記録可能とするようにしてもよい。また、メモリ（メモリカード２４）に記録されている各種情報を、図示せぬインタフェースを介して外部のパーソナルコンピュータ等に出力することができるようにしてもよい。
【００３６】
次に、本実施の形態の電子カメラ１の内部の電気的構成例を、図６のブロック図を参照して説明する。複数の画素を備えているＣＣＤ２０は、各画素に結像した光画像を画像信号（電気信号）に光電変換するようになされている。デジタルシグナルプロセッサ（以下、ＤＳＰという）３３は、ＣＣＤ２０にＣＣＤ水平駆動パルスを供給するとともに、ＣＣＤ駆動回路３４を制御し、ＣＣＤ２０にＣＣＤ垂直駆動パルスを供給させるようになされている。
【００３７】
画像処理部３１は、ＣＰＵ３９に制御され、ＣＣＤ２０が光電変換した画像信号を所定のタイミングでサンプリングし、そのサンプリングした信号を、所定のレベルに増幅するようになされている。ＣＰＵ３９は、ＲＯＭ４３に記憶されている制御プログラムに従って、各部を制御するようになされている。アナログ／デジタル変換回路（以下、Ａ／Ｄ変換回路という）３２は、画像処理部３１でサンプリングした画像信号をデジタル化してＤＳＰ３３に供給するようになされている。
【００３８】
ＤＳＰ３３は、バッファメモリ３６およびメモリカード２４に接続されるデータバスを制御し、Ａ／Ｄ変換回路３２より供給された画像データをバッファメモリ３６に一旦記憶させた後、バッファメモリ３６に記憶した画像データを読み出し、その画像データを、メモリカード２４に記録するようになされている。
【００３９】
また、ＤＳＰ３３は、Ａ／Ｄ変換回路３２より供給された画像データをフレームメモリ３５に記憶させ、ＬＣＤ６に表示させるとともに、メモリカード２４から撮影画像データを読み出し、その撮影画像データを伸張した後、伸張後の画像データをフレームメモリ３５に記憶させ、ＬＣＤ６に表示させるようになされている。
【００４０】
さらに、ＤＳＰ３３は、電子カメラ１の起動時において、ＣＣＤ２０の露光レベルが適正な値になるまで、露光時間（露出値）を調節しながら、ＣＣＤ２０を繰り返し動作させるようになされている。このとき、ＤＳＰ３３が、最初に、測光回路５１を動作させ、測光素子１６により検出された受光レベルに対応して、ＣＣＤ２０の露光時間の初期値を算出するようにしてもよい。このようにすることにより、ＣＣＤ２０の露光時間の調節を短時間で行うことができる。
【００４１】
この他、ＤＳＰ３３は、メモリカード２４への記録、伸張後の画像データのバッファメモリ３６への記憶などにおけるデータ入出力のタイミング管理を行うようになされている。
【００４２】
バッファメモリ３６は、メモリカード２４に対するデータの入出力の速度と、ＣＰＵ３９やＤＳＰ３３などにおける処理速度の違いを緩和するために利用される。
【００４３】
マイクロホン８は、音声情報を入力し（音声を集音し）、その音声情報をＡ／ＤおよびＤ／Ａ変換回路４２に供給するようになされている。
【００４４】
Ａ／ＤおよびＤ／Ａ変換回路４２は、マイクロホン８により検出された音声に対応するアナログ信号をデジタル信号に変換した後、そのデジタル信号をＣＰＵ３９に供給するとともに、ＣＰＵ３９より供給された音声データをアナログ化し、アナログ化した音声信号をスピーカ５に出力するようになされている。
【００４５】
測光素子１６は、被写体およびその周囲の光量を測定し、その測定結果を測光回路５１に出力するようになされている。測光回路５１は、測光素子１６より供給された測光結果であるアナログ信号に対して所定の処理を施した後、デジタル信号に変換し、そのデジタル信号をＣＰＵ３９に出力するようになされている。
【００４６】
測色素子１７は、被写体およびその周囲の色温度を測定し、その測定結果を測色回路５２に出力するようになされている。測色回路５２は、測色素子１７より供給された測色結果であるアナログ信号に対して所定の処理を施した後、デジタル信号に変換し、そのデジタル信号をＣＰＵ３９に出力するようになされている。
【００４７】
タイマ４５は、時計回路を内蔵し、現在の時刻に対応するデータをＣＰＵ３９に出力するようになされている。
【００４８】
絞り駆動回路５３は、絞り５４の開口径を所定の値に設定するようになされている。絞り５４は、撮影レンズ３とＣＣＤ２０の間に配置され、撮影レンズ３からＣＣＤ２０に入射する光の開口を変更するようになされている。
【００４９】
ＣＰＵ３９は、ＬＣＤスイッチ２５からの信号に応じて、ＬＣＤカバー１４が開いているときにおいては、測光回路５１および測色回路５２の動作を停止させ、ＬＣＤカバー１４が閉じているときにおいては、測光回路５１および測色回路５２を動作させるとともに、レリーズスイッチ１０が半押し状態になるまで、ＣＣＤ２０の動作（例えば電子シャッタ動作）を停止させるようになされている。
【００５０】
ＣＰＵ３９は、ＣＣＤ２０の動作を停止させているとき、測光回路５１および測色回路５２を制御し、測光素子１６の測光結果を受け取るとともに、測色素子１７の測色結果を受け取るようになされている。
【００５１】
そして、ＣＰＵ３９は、所定のテーブルを参照して、測色回路５２より供給された色温度に対応するホワイトバランス調整値を算出し、そのホワイトバランス調整値を画像処理部３１に供給するようになされている。
【００５２】
即ち、ＬＣＤカバー１４が閉じているときにおいては、ＬＣＤ６が電子ビューファインダとして使用されないので、ＣＣＤ２０の動作を停止させるようにする。ＣＣＤ２０は多くの電力を消費するので、このようにＣＣＤ２０の動作を停止させることにより、バッテリ２１の電力を節約することができる。
【００５３】
また、ＣＰＵ３９は、ＬＣＤカバー１４が閉じているとき、レリーズスイッチ１０が操作されるまで（レリーズスイッチ１０が半押し状態になるまで）、画像処理部３１が各種処理を行わないように、画像処理部３１を制御するようになされている。
【００５４】
さらに、ＣＰＵ３９は、ＬＣＤカバー１４が閉じているとき、レリーズスイッチ１０が操作されるまで（レリーズスイッチ１０が半押し状態になるまで）、絞り駆動回路５３が絞り５４の開口径を変更などの動作を行わないように、絞り駆動回路５３を制御するようになされている。
【００５５】
また、ＣＰＵ３９は、ストロボ駆動回路３７を制御して、ストロボ４を適宜発光させるようになされている他、赤目軽減ＬＥＤ駆動回路３８を制御して、ストロボ４を発光させる前に、赤目軽減ＬＥＤ１５を適宜発光させるようになされている。
【００５６】
なお、ＣＰＵ３９は、ＬＣＤカバー１４が開いているとき（即ち、電子ビューファインダが利用されているとき）においては、ストロボ４を発光させないようにすることができる。このようにすることにより、電子ビューファインダに表示されている画像の状態で、被写体を撮影することができる。
【００５７】
ＣＰＵ３９は、タイマ４５より供給される日時データに従って、撮影した日時の情報を画像データのヘッダ情報として、メモリカード２４の撮影画像記録領域に記録するようになされている。（すなわち、メモリカード２４の撮影画像記録領域に記録される撮影画像データには、撮影日時のデータが付随している）。
【００５８】
また、ＣＰＵ３９は、デジタル化された音声情報を圧縮した後、デジタル化及び圧縮化された音声データを一旦、バッファメモリ３６に記憶させた後、メモリカード２４の所定の領域（音声記録領域）に記録するようになされている。また、このとき、メモリカード２４の音声記録領域には、録音日時のデータが音声データのヘッダ情報として記録されるようになされている。
【００５９】
ＣＰＵ３９は、レンズ駆動回路３０を制御し、撮影レンズ３を移動させることにより、オートフォーカス動作を行う他、絞り駆動回路５３を制御して、撮影レンズ３とＣＣＤ２０の間に配置されている絞り５４の開口径を変更させるようになされている。
【００６０】
さらに、ＣＰＵ３９は、ファインダ内表示回路４０を制御して、各種動作における設定などをファインダ内表示素子２６に表示させるようになされている。
【００６１】
ＣＰＵ３９は、インタフェース（Ｉ／Ｆ）４８を介して、所定の外部装置（図示せず）と所定のデータの授受を行うようになされている。
【００６２】
また、ＣＰＵ３９は、操作キー７からの信号を受け取り、適宜処理するようになされている。
【００６３】
ユーザの操作するペン（ペン型指示部材）４１によってタッチタブレット６Ａの所定の位置が押圧されると、ＣＰＵ３９は、タッチタブレット６Ａの押圧された位置のＸ−Ｙ座標を読み取り、その座標データ（後述するメモ情報）を、バッファメモリ３６に蓄積させるようになされている。また、ＣＰＵ３９は、バッファメモリ３６に蓄積したメモ情報を、メモ情報入力日時のヘッダ情報とともに、メモリカード２４のメモ情報記録領域に記録するようになされている。
【００６４】
次に、本実施の形態の電子カメラ１の各種動作について説明する。最初に、本装置のＬＣＤ６における電子ビューファインダ動作について説明する。
【００６５】
ユーザがレリーズスイッチ１０を半押し状態にすると、ＤＳＰ３３は、ＣＰＵ３９より供給される、ＬＣＤスイッチ２５の状態に対応する信号の値から、ＬＣＤカバー１４が開いているか否かを判断し、ＬＣＤカバー１４が閉じていると判断した場合、電子ビューファインダ動作を行わない。この場合、ＤＳＰ３３は、レリーズスイッチ１０が操作されるまで、処理を停止する。
【００６６】
なお、ＬＣＤカバー１４が閉じている場合、電子ビューファインダ動作を行わないので、ＣＰＵ３９は、ＣＣＤ２０、画像処理部３１、および、絞り駆動回路５３の動作を停止させる。そして、ＣＰＵ３９は、ＣＣＤ２０を停止させる代わりに、測光回路５１および測色回路５２を動作させ、それらの測定結果を、画像処理部３１に供給する。画像処理部３１は、それらの測定結果の値を、ホワイトバランス制御や輝度値の制御を行うときに利用する。
【００６７】
また、レリーズスイッチ１０が操作された場合、ＣＰＵ３９は、ＣＣＤ２０および絞り駆動回路５３の動作を行わせる。
【００６８】
一方、ＬＣＤカバー１４が開いている場合、ＣＣＤ２０は、所定の時間毎に、所定の露光時間で、電子シャッタ動作を行い、撮影レンズ３によって集光された被写体の光画像を光電変換し、その動作で得られた画像信号を画像処理部３１に出力する。
【００６９】
画像処理部３１は、ホワイトバランス制御および輝度値の制御を行い、その画像信号に対して所定の処理を施した後、画像信号をＡ／Ｄ変換回路３２に出力する。なお、ＣＣＤ２０が動作しているときは、画像処理部３１は、ＣＰＵ３９により、ＣＣＤ２０の出力を利用して算出された、ホワイトバランス制御および輝度値の制御に利用される調整値を利用する。
【００７０】
そして、Ａ／Ｄ変換回路３２は、その画像信号（アナログ信号）を、デジタル信号である画像データに変換し、その画像データをＤＳＰ３３に出力する。
【００７１】
ＤＳＰ３３は、その画像データをフレームメモリ３５に出力し、ＬＣＤ６にその画像データに対応する画像を表示させる。
【００７２】
このように、電子カメラ１においては、ＬＣＤカバー１４が開いている場合、所定の時間間隔で、ＣＣＤ２０が電子シャッタ動作し、その度に、ＣＣＤ２０から出力された信号を画像データに変換し、その画像データをフレームメモリ３５に出力して、ＬＣＤ６に被写体の画像を絶えず表示させることで、電子ビューファインダ動作を行う。
【００７３】
また、上述のように、ＬＣＤカバー１４が閉じている場合においては、電子ビューファインダ動作を行わず、ＣＣＤ２０、画像処理部３１、および、絞り駆動回路５３の動作を停止させ、消費電力を節約している。
【００７４】
次に、本装置による被写体の撮影について説明する。
【００７５】
第１に、面Ｙ１に設けられている連写モード切り換えスイッチ１３が、Ｓモード（１コマだけ撮影を行うモード）に切り換えられている場合について説明する。最初に、図１に示す電源スイッチ１１を「ＯＮ」と印刷されている側に切り換えて電子カメラ１に電源を投入する。ファインダ２で被写体を確認し、面Ｙ１に設けられているレリーズスイッチ１０を押すと、被写体の撮影処理が開始される。
【００７６】
なお、ＬＣＤカバー１４が閉じられている場合、ＣＰＵ３９は、レリーズスイッチ１０が半押し状態になったとき、ＣＣＤ２０、画像処理部３１、および、絞り駆動回路５３の動作を再開させて、レリーズスイッチ１０が全押し状態になったとき、被写体の撮影処理を開始させる。
【００７７】
ファインダ２で観察される被写体の光画像が撮影レンズ３によって集光され、複数の画素を備えるＣＣＤ２０に結像する。ＣＣＤ２０に結像した被写体の光画像は、各画素で画像信号に光電変換され、画像処理部３１によってサンプリングされる。画像処理部３１によってサンプリングされた画像信号は、Ａ／Ｄ変換回路３２に供給され、そこでデジタル化されてＤＳＰ３３に出力される。
【００７８】
ＤＳＰ３３は、その画像データをバッファメモリ３６に一旦出力した後、バッファメモリ３６より、その画像データを読み出し、離散的コサイン変換、量子化及びハフマン符号化を組み合わせたＪＰＥＧ（Joint Photographic Experts Group）方式に従って圧縮し、メモリカード２４の撮影画像記録領域に記録させる。このとき、メモリカード２４の撮影画像記録領域には、撮影日時のデータが、撮影画像データのヘッダ情報として記録される。
【００７９】
なお、連写モード切り換えスイッチ１３がＳモードに切り換えられている場合においては、１コマの撮影だけが行われ、レリーズスイッチ１０が継続して押されても、それ以降の撮影は行われない。また、レリーズスイッチ１０が継続して押されると、ＬＣＤカバー１４が開いている場合、ＬＣＤ６に、撮影した画像が表示される。
【００８０】
第２に、連写モード切り換えスイッチ１３がＬモード（１秒間に８コマの連写を行うモード）に切り換えられている場合について説明する。電源スイッチ１１を「ＯＮ」と印刷されている側に切り換えて電子カメラ１に電源を投入し、面Ｙ１に設けられているレリーズスイッチ１０を押すと、被写体の撮影処理が開始される。
【００８１】
なお、ＬＣＤカバー１４が閉じられている場合、ＣＰＵ３９は、レリーズスイッチ１０が半押し状態になったとき、ＣＣＤ２０、画像処理部３１、および、絞り駆動回路５３の動作を再開させて、レリーズスイッチ１０が全押し状態になったとき、被写体の撮影処理を開始させる。
【００８２】
ファインダ２で観察される被写体の光画像は、撮影レンズ３によって集光され、複数の画素を備えるＣＣＤ２０に結像する。ＣＣＤ２０に結像した被写体の光画像は、各画素で画像信号に光電変換され、画像処理部３１によって１秒間に８回の割合でサンプリングされる。また、このとき、画像処理部３１は、ＣＣＤ２０の全画素の画像電気信号のうち４分の３の画素を間引く。
【００８３】
すなわち、画像処理部３１は、マトリクス状に配列されているＣＣＤ２０の画素を、図７に示すように、２×２画素（４つの画素）を１つとする領域に分割し、その１つの領域から、所定の位置に配置されている１画素の画像信号をサンプリングし、残りの３画素を間引く。
【００８４】
例えば、第１回目のサンプリング時（１コマ目）においては、各領域の左上の画素ａがサンプリングされ、その他の画素ｂ，ｃ，ｄが間引かれる。第２回目のサンプリング時（２コマ目）においては、各領域の右上の画素ｂがサンプリングされ、その他の画素ａ，ｃ，ｄが間引かれる。以下、第３回目、第４回目のサンプリング時においては、左下の画素ｃ、右下の画素ｄが、それぞれ、サンプリングされ、その他の画素が間引かれる。つまり、４コマ毎に各画素がサンプリングされる。
【００８５】
画像処理部３１によってサンプリングされた画像信号（ＣＣＤ２０の全画素中の４分の１の画素の画像信号）は、Ａ／Ｄ変換回路３２に供給され、そこでデジタル化されてＤＳＰ３３に出力される。
【００８６】
ＤＳＰ３３は、デジタル化された画像信号をバッファメモリ３６に一旦出力した後、その画像信号を読み出し、ＪＰＥＧ方式に従って圧縮した後、デジタル化及び圧縮処理された撮影画像データを、メモリカード２４の撮影画像記録領域に記録する。このとき、メモリカード２４の撮影画像記録領域には、撮影日時のデータが、撮影画像データのヘッダ情報として記録される。
【００８７】
第３に、連写モード切り換えスイッチ１３がＨモード（１秒間に３０コマの連写を行うモード）に切り換えられている場合について説明する。電源スイッチ１１を「ＯＮ」と印刷されている側に切り換えて電子カメラ１に電源を投入し、面Ｙ１に設けられているレリーズスイッチ１０を押すと、被写体の撮影処理が開始される。
【００８８】
なお、ＬＣＤカバー１４が閉じられている場合、ＣＰＵ３９は、レリーズスイッチ１０が半押し状態になったとき、ＣＣＤ２０、画像処理部３１、および、絞り駆動回路５３の動作を再開させて、レリーズスイッチ１０が全押し状態になったとき、被写体の撮影処理を開始させる。
【００８９】
ファインダ２で観察される被写体の光画像が撮影レンズ３によって集光され、ＣＣＤ２０に結像する。複数の画素を備えるＣＣＤ２０に結像した被写体の光画像は、各画素で画像信号に光電変換され、画像処理部３１によって１秒間に３０回の割合でサンプリングされる。また、このとき、画像処理部３１は、ＣＣＤ２０の全画素の画像電気信号のうち９分の８の画素を間引く。
【００９０】
すなわち、画像処理部３１は、マトリクス状に配列されているＣＣＤ２０の画素を、図８に示すように、３×３画素を１つとする領域に分割し、その１つの領域から、所定の位置に配置されている１画素の画像電気信号を、１秒間に３０回の割合でサンプリングし、残りの８画素を間引く。
【００９１】
例えば、第１回目のサンプリング時（１コマ目）においては、各領域の左上の画素ａがサンプリングされ、その他の画素ｂ乃至ｉが間引かれる。第２回目のサンプリング時（２コマ目）においては、画素ａの右側に配置されている画素ｂがサンプリングされ、その他の画素ａ，ｃ乃至ｉが間引かれる。以下、第３回目以降のサンプリング時においては、画素ｃ、画素ｄ・・・が、それぞれ、サンプリングされ、その他の画素が間引かれる。つまり、９コマ毎に各画素がサンプリングされる。
【００９２】
画像処理部３１によってサンプリングされた画像信号（ＣＣＤ２０の全画素中の９分の１の画素の画像信号）は、Ａ／Ｄ変換回路３２に供給され、そこでデジタル化されてＤＳＰ３３に出力される。
【００９３】
ＤＳＰ３３は、デジタル化された画像信号をバッファメモリ３６に一旦出力した後、その画像信号を読み出し、ＪＰＥＧ方式に従って圧縮した後、デジタル化及び圧縮処理された撮影画像データを、撮影日時のヘッダ情報を付随して、メモリカード２４の撮影画像記録領域に記録する。
【００９４】
なお、必要に応じて、ストロボ４を動作させ、被写体に光を照射させることもできる。ただし、ＬＣＤカバー１４が開いているとき、即ち、ＬＣＤ６が電子ビューファインダ動作を行っているとき、ＣＰＵ３９は、ストロボ４を、発光させないように制御することができる。
【００９５】
次に、タッチタブレット６Ａから２次元の情報（ペン入力情報）を入力する場合の動作について説明する。
【００９６】
タッチタブレット６Ａがペン４１のペン先で押圧されると、接触した箇所のＸ−Ｙ座標が、ＣＰＵ３９に入力される。このＸ−Ｙ座標は、バッファメモリ３６に記憶される。また、フレームメモリ３５における上記Ｘ−Ｙ座標の各点に対応した箇所にデータを書き込み、ＬＣＤ６における上記Ｘ−Ｙ座標に、ペン４１の接触に対応したメモを表示させることができる。
【００９７】
上述したように、タッチタブレット６Ａは、透明部材によって構成されているので、ユーザは、ＬＣＤ６上に表示される点（ペン４１のペン先で押圧された位置の点）を観察することができ、あたかもＬＣＤ６上に直接ペン入力をしたかのように感じることができる。また、ペン４１をタッチタブレット６Ａ上で移動させると、ＬＣＤ６上には、ペン４１の移動に伴う線が表示される。さらに、ペン４１をタッチタブレット６Ａ上で断続的に移動させると、ＬＣＤ６上には、ペン４１の移動に伴う破線が表示される。以上のようにして、ユーザは、タッチタブレット６Ａ（ＬＣＤ６）に所望の文字、図形等のメモ情報を入力する。
【００９８】
また、ＬＣＤ６上に撮影画像が表示されている場合において、ペン４１によってメモ情報が入力されると、このメモ情報が、撮影画像情報とともに、フレームメモリ３５で合成され、ＬＣＤ６上に同時に表示される。
【００９９】
なお、ユーザは、所定のパレット１００を操作することにより、ＬＣＤ６上に表示されるメモの色を、黒、白、赤、青等の色から選択することができる。
【０１００】
ペン４１によるタッチタブレット６Ａへのメモ情報の入力後、操作キー７の実行キー７Ｂが押されると、バッファメモリ３６に蓄積されているメモ情報が、入力日時のヘッダ情報とともにメモリカード２４に供給され、メモリカード２４のメモ情報記録領域に記録される。
【０１０１】
なお、メモリカード２４に記録されるメモ情報は、圧縮処理の施された情報である。タッチタブレット６Ａに入力されたメモ情報は空間周波数成分の高い情報を多く含んでいるので、上記撮影画像の圧縮に用いられるＪＰＥＧ方式によって圧縮処理を行うと、圧縮効率が悪く情報量が小さくならず、圧縮及び伸張に必要とされる時間が長くなってしまう。さらに、ＪＰＥＧ方式による圧縮は、非可逆圧縮であるので、情報量の少ないメモ情報の圧縮には適していない（伸張してＬＣＤ６上に表示した場合、情報の欠落に伴うギャザ、にじみが際だってしまうため）。
【０１０２】
そこで、本実施の形態においては、ファックス等において用いられるランレングス法によって、メモ情報を圧縮するようにしている。ランレングス法とは、メモ画面を水平方向に走査し、黒、白、赤、青等の各色の情報（点）の継続する長さ、及び無情報（ペン入力のない部分）の継続する長さを符号化することにより、メモ情報を圧縮する方法である。
【０１０３】
このランレングス法を用いることにより、メモ情報を最小に圧縮することができ、また、圧縮されたメモ情報を伸張した場合においても、情報の欠落を抑制することが可能になる。なお、メモ情報は、その情報量が比較的少ない場合には、圧縮しないようにすることもできる。
【０１０４】
また、上述したように、ＬＣＤ６上に撮影画像が表示されている場合において、ペン入力を行うと、撮影画像データとペン入力のメモ情報がフレームメモリ３５で合成され、撮影画像とメモの合成画像がＬＣＤ６上に表示される。その一方で、メモリカード２４においては、撮影画像データは、撮影画像記録領域に記録され、メモ情報は、メモ情報記録領域に記録される。このように、２つの情報が、各々異なる領域に記録されるので、ユーザは、撮影画像とメモの合成画像から、いずれか一方の画像（例えばメモ）を削除することができ、さらに、各々の画像情報を個別の圧縮方法で圧縮することもできる。
【０１０５】
メモリカード２４の音声記録領域、撮影画像記録領域、またはメモ情報記録領域にデータを記録した場合、図９に示すように、ＬＣＤ６にその一覧表を表示させることができる。
【０１０６】
図９に示すＬＣＤ６の表示画面上においては、情報を記録した時点の年月日（記録年月日）（この場合、１９９６年１１月１日）が画面の上端部に表示され、その記録年月日に記録された情報の番号（ファイル番号）と記録時刻が画面の左側に表示されている。
【０１０７】
記録時刻の右側には、サムネイル画像が表示されている。このサムネイル画像は、メモリカード２４に記録された撮影画像データの各画像データのビットマップデータを間引いて（縮小して）作成されたものである。この表示のある情報は、撮影画像情報を含む情報である。つまり、「１０時１６分」、および「１０時２１分」に記録（入力）された情報には、撮影画像情報が含まれており、それ以外の時間に記録された情報には画像情報が含まれていない。
【０１０８】
また、メモアイコン「□」は、線画情報として所定のメモが記録されていることを表している。
【０１０９】
サムネイル画像の表示領域の右側には、音声アイコン（音符）が表示され、その右隣りには録音時間（単位は秒）が表示されている（音声情報が入力されていない場合には、これらは表示されない）。
【０１１０】
ユーザは、図９に示すように、ＬＣＤ６に表示された一覧表の中の所望の音声アイコンを、ペン４１のペン先で押圧して再生する情報を選択指定し、図２に示す実行キー７Ｂをペン４１のペン先で押圧することにより、選択した情報を再生する。
【０１１１】
例えば、図９に示す「１０時１６分」の表示されている音声アイコンがペン４１によって押圧されると、ＣＰＵ３９は、選択された録音日時（１０時１６分）に対応する音声データをメモリカード２４から読み出し、その音声データを伸張した後、Ａ／ＤおよびＤ／Ａ変換回路４２に供給する。Ａ／ＤおよびＤ／Ａ変換回路４２は、供給された音声データをアナログ化した後、スピーカ５を介して再生する。
【０１１２】
メモリカード２４に記録した撮影画像データを再生する場合、ユーザは、所望のサムネイル画像を、ペン４１のペン先で押圧することによりその情報を選択し、実行キー７Ｂを押して選択した情報を再生させる。
【０１１３】
即ち、ＣＰＵ３９は、選択されたサムネイル画像の撮影日時に対応する撮影画像データをメモリカード２４から読み出すように、ＤＳＰ３３に指示する。ＤＳＰ３３は、メモリカード２４より読み出した上記撮影画像データ（圧縮されている撮影画像データ）を伸張し、この撮影画像データをビットマップデータとしてフレームメモリ３５に蓄積させ、ＬＣＤ６に表示させる。
【０１１４】
Ｓモードで撮影された画像は、ＬＣＤ６上に、静止画像として表示される。この静止画像は、ＣＣＤ２０の全ての画素の画像信号を再生したものであることはいうまでもない。
【０１１５】
Ｌモードで撮影された画像は、ＬＣＤ６上において、１秒間に８コマの割合で連続して表示される。このとき、各コマに表示される画素数は、ＣＣＤ２０の全画素数の４分の１である。
【０１１６】
通常、人間の目は、静止画像の解像度の劣化に対しては敏感に反応するため、静止画像の画素を間引くことは、ユーザに画質の劣化として捉えられてしまう。しかしながら、撮影時の連写速度が上がり、Ｌモードにおいて１秒間に８コマ撮影され、この画像が１秒間に８コマの速さで再生された場合においては、各コマの画素数がＣＣＤ２０の画素数の４分の１になるが、人間の目は１秒間に８コマの画像を観察するので、１秒間に人間の目に入る情報量は、静止画像の場合に比べて２倍になる。
【０１１７】
すなわち、Ｓモードで撮影された画像の１コマの画素数を１とすると、Ｌモードで撮影された画像の１コマの画素数は１／４となる。Ｓモードで撮影された画像（静止画像）がＬＣＤ６に表示された場合、１秒間に人間の目に入る情報量は１（＝（画素数１）×（コマ数１））となる。一方、Ｌモードで撮影された画像がＬＣＤ６に表示された場合、１秒間に人間の目に入る情報量は２（＝（画素数１／４）×（コマ数８））となる（すなわち、人間の目には、静止画像の２倍の情報が入る）。従って、１コマ中の画素の数を４分の１にしても、再生時において、ユーザは、画質の劣化をさほど気にすることなく再生画像を観察することができる。
【０１１８】
さらに、本実施の形態においては、各コマ毎に異なる画素をサンプリングし、そのサンプリングした画素をＬＣＤ６に表示するようにしているので、人間の目に残像効果が起こり、１コマ当たり４分の３画素を間引いたとしても、ユーザは、画質の劣化をさほど気にすることなくＬＣＤ６に表示されるＬモードで撮影された画像を観察することができる。
【０１１９】
また、Ｈモードで撮影された画像は、ＬＣＤ６上において、１秒間に３０コマの割合で連続して表示される。このとき、各コマに表示される画素数は、ＣＣＤ２０の全画素数の９分の１であるが、Ｌモードの場合と同様の理由で、ユーザは、画質の劣化をさほど気にすることなくＬＣＤ６に表示されるＨモードで撮影された画像を観察することができる。
【０１２０】
本実施の形態においては、Ｌモード及びＨモードで被写体を撮像する場合、画像処理部３１が、再生時における画質の劣化が気にならない程度にＣＣＤ２０の画素を間引くようにしているので、ＤＳＰ３３の負荷を低減することができ、ＤＳＰ３３を、低速度、低電力で作動させることができる。また、このことにより、装置の低コスト化及び低消費電力化が可能になる。
【０１２１】
ところで、本実施の形態においては、既述のように、被写体の光画像を撮影するだけでなく、メモ（線画）情報を記録することも可能である。本実施の形態においては、これらの情報を入力するモード（撮影モードおよびメモ入力モード）を具備しており、ユーザの操作に応じてこれらのモードが適宜選択され、情報の入力がスムーズに実行されるようになされている。
【０１２２】
次に、図１０のフローチャートを参照して、任意の情報を再生している場合において、実行キー７Ｂを操作することにより、関連する情報を再生する場合の動作について説明する。
【０１２３】
最初に、ステップＳ１において、図１１に示すような一覧表画面（サムネイル画面）をＬＣＤ６に表示させる。次に、ステップＳ２において、一覧表画面の中のファイル番号をペン４１を用いてピックすることにより、任意の情報ファイルを選択する。あるいは、音声アイコン、メモアイコン、またはサムネイル画像をペン４１を用いてピックすることにより所定の情報を選択する。ここでは、例えば、画像情報、線画情報、および音声情報からなるファイル番号が１の情報ファイルの中のサムネイル画像を選択するものとする。
【０１２４】
ステップＳ３においては、ステップＳ２における選択を確定するために実行キー７Ｂをペン４１等で押す。これにより、ステップＳ４に進み、ＣＰＵ３９は、ＤＳＰ３３に対して、選択されたサムネイル画像に対応する画像をメモリカード２４から読み出すように指令する。ＤＳＰ３３は、ＣＰＵ３９の指令に従って、メモリカード２４に記憶されている選択されたサムネイル画像に対応する画像を読み出す。そして、読み出した画像を一旦バッファメモリ３６に転送する。
【０１２５】
バッファメモリ３６に転送された画像は、ＣＰＵ制御バスを介してフレームメモリ３５に供給され、図１２に示すような画面がＬＣＤ６に表示される。この例の場合、選択されたサムネイル画像に対応する画像と、その画像に対応づけられた音声情報が記録されていることを示す音声アイコンが表示される。
【０１２６】
次に、ステップＳ５において、実行キー７Ｂが押されたか否かが判定される。実行キー７Ｂが押されたと判定された場合、ステップＳ６に進み、選択された情報（この例の場合サムネイル画像）を含む情報ファイルの中に、他の関連する情報が含まれているか否かが判定される。他の関連する情報が含まれていると判定された場合、ステップＳ７において、他の関連する情報の再生が行われる。この例の場合、選択されたサムネイル画像を含む情報ファイルの中に、そのサムネイル画像に関連する線画情報および音声情報が含まれているので、例えば、まず、線画情報の再生が行われる。
【０１２７】
即ち、ＣＰＵ３９は、メモリカード２４の線画情報記憶領域から線画情報を読み出し、そのビットマップイメージをフレームメモリ３５に書き込む。これにより、図１３に示すように、線画情報が画像情報に重なるようにして表示される。ステップＳ７における処理が終了した後、またはステップＳ６において、選択された情報を含む情報ファイルに他の関連する情報が含まれていないと判定された場合、ステップＳ５に戻り、ステップＳ５以降の処理が繰り返し実行される。
【０１２８】
この例の場合、再度、実行キー７Ｂが押されたものとする。従って、ステップＳ５において実行キー７Ｂが押されたと判定され、ステップＳ６に進み、選択された情報（サムネイル画像）を含む情報ファイルの中に他の関連する情報が含まれているか否かが判定される。この例の場合、ＬＣＤ６に表示されている画像に関連する上記線画情報と音声情報とがあり、線画情報は上述したようにして、既にＬＣＤ６の画面に表示されているので、次に、音声情報が再生される。
【０１２９】
即ち、ＣＰＵ３９は、メモリカード２４よりいまＬＣＤ６に表示されている画像に関連する音声情報を読み出し、それをＣＰＵ制御バスを介してＡ／ＤおよびＤ／Ａ変換回路４２に供給する。Ａ／ＤおよびＤ／Ａ変換回路４２は、ＣＰＵ制御バスを介してメモリカード２４より供給された音声情報をアナログの音声信号に変換し、スピーカ５を介して再生する。これにより、ＬＣＤ６に表示されている画像および線画に関連する音声がスピーカ５より出力される。
【０１３０】
その後、ステップＳ５に戻り、ステップＳ５以降の処理が繰り返し実行される。
【０１３１】
また、ステップＳ５において、実行キー７Ｂが押されていないと判定された場合、ステップＳ８に進み、他のキーが押されたか否かが判定される。他のキーが押されていないと判定された場合、ステップＳ５に戻り、ステップＳ５以降の処理が繰り返し実行される。一方、他のキーが押されたと判定された場合、ステップＳ９において対応する他の処理が実行された後、処理を終了する。
【０１３２】
以上のようにして、複数の関連する情報からなる情報ファイルの中の所定の情報を再生しているときに、実行キー７Ｂを押すだけで、他の関連する情報を順次再生するようにすることができる。このとき、音声情報のように、再生開始後、所定の時間だけ経過すると再生が終了するような情報の場合、実行キー７Ｂが押される度に、繰り返し再生されるようにすることができる。
【０１３３】
また、ファイル番号を選択したとき、最初、選択されたファイル番号の情報ファイルに含まれる画像情報だけが再生されるようにし、実行キー７Ｂを押す毎に、順次、関連する他の情報が再生されるようにすることができる。
【０１３４】
例えば、図１１に示した一覧表画面において、ファイル番号が１の情報ファイルを選択すると、最初、ファイル番号が１の情報ファイルの中の画像情報が再生され、対応する画像がＬＣＤ６に表示される。そして、実行キー７Ｂを押すと関連する線画情報が再生され、対応する線画がＬＣＤ６に表示される。さらに実行キー７Ｂを押すと、関連する音声情報が再生され、スピーカ５より出力される。そして、以後、実行キー７Ｂを押す度に、音声情報が再生される。
【０１３５】
あるいは、図１１に示した一覧表画面において、ファイル番号が１の情報ファイルを選択すると、最初、ファイル番号が１の情報ファイルの中の画像情報が再生され、対応する画像がＬＣＤ６に表示される。そして、実行キー７Ｂを押すと、いま表示中の画像が画面から消去され、その画像に関連する線画情報が再生され、対応する線画が表示される。さらに実行キー７Ｂを押すと、表示中の線画が画面から消去され、関連する音声情報が再生される。そして、以後、実行キー７Ｂを押す毎に、画像、線画、音声の順番で、順次、再生される。
【０１３６】
図１０のフローチャートに示す処理をＣＰＵ３９に行わせるためのプログラムは、電子カメラ１のＲＯＭ４３やメモリカード２４等に記憶させるようにすることができる。また、このプログラムは、予め上記ＲＯＭ４３やメモリカード２４に記憶された状態で使用者に供給されるようにしてもよいし、ＲＯＭ４３やメモリカード２４にコピー可能なように、ＣＤ−ＲＯＭ（compact disc-read only memory）等に記憶された状態で使用者に供給されるようにしてもよい。その場合、ＲＯＭ４３は、例えば、電気的に書き換え可能なＥＥＰＲＯＭ（electrically erasable and programmable read only memory）等で構成するようにする。
【０１３７】
なお、上記実施の形態におけるＬＣＤ６の画面レイアウトは一例であって、これに限定されるものではない。
【０１３８】
また、上記実施の形態においては、画像情報が再生されている場合において、実行キー７Ｂが押されたとき、まず、線画情報が再生され、次に実行キー７Ｂが押されたとき、音声情報が再生されるようにしたが、この順番に限定されるものではなく、他の任意の順番で情報が再生されるようにすることができる。
【０１３９】
【発明の効果】
請求項１に記載の情報処理装置によれば、制御手段が、再生が指示された画像データの再生中に、所定の位置に固定配置され、記録手段に記録された画像データの再生を指示するために操作されるキーが操作されたとき、再生が指示された画像データと関連づけられた音声データまたは線画データを再生するように再生手段を制御するようにしたので、関連する情報を簡単な操作で再生することができる。
【０１４０】
請求項４に記載の記憶媒体によれば、再生が指示された画像データの再生中に、所定の位置に固定配置され、記録手段に記録された画像データの再生を指示するために操作されるキーが操作されたとき、再生が指示された画像データと関連づけられた音声データまたは線画データを再生するように再生手段を制御する制御ステップを含むプログラムを記憶するようにしたので、関連する情報を簡単な操作で再生することができる。
【図面の簡単な説明】
【図１】本発明を適用した電子カメラの一実施の形態を正面の側から見た斜視図である。
【図２】電子カメラ１をＬＣＤカバー１４を開けた状態で背面の側から見た斜視図である。
【図３】電子カメラ１をＬＣＤカバー１４を閉じた状態で背面の側から見た斜視図である。
【図４】電子カメラ１の内部の構成例を示す図である。
【図５】電子カメラ１のＬＣＤスイッチ２５とＬＣＤカバー１４の動作を説明する図である。
【図６】電子カメラ１の内部の電気的構成例を示すブロック図である。
【図７】間引き処理を説明するための図である。
【図８】間引き処理の他の例を示す図である。
【図９】電子カメラ１のＬＣＤ６に表示される表示画面例を示す図である。
【図１０】関連する情報を再生させる手順を説明するフローチャートである。
【図１１】一覧表画面の例を示す図である。
【図１２】図１１において、サムネイルを選択したときの表示画面例を示す図である。
【図１３】図１２において、実行キー７Ｂを押したときの表示画面例を示す図である。
【符号の説明】
１  電子カメラ
２  ファインダ
３  撮影レンズ
４  発光部（ストロボ）
５  スピーカ（再生手段）
６  ＬＣＤ（再生手段）
６Ａ  タッチタブレット（選択手段）
７  操作キー
７Ａ  メニューキー
７Ｂ  実行キー（指示手段）
７Ｃ  キャンセルキー
７Ｄ  デリートキー
７Ｅ，７Ｆ，７Ｇ，７Ｈ  スクロールキー
８  マイクロホン
９  イヤホンジャック
１０  レリーズスイッチ
１１  電源スイッチ
１２  録音スイッチ
１３  連写モード切り換えスイッチ
１５  赤目軽減ＬＥＤ
１６  測光素子
１７  測色素子
２０  ＣＣＤ
２１  バッテリ
２２  コンデンサ
２３  回路基板
２４  メモリカード
２６  ファインダ内表示素子
３０  レンズ駆動回路
３１  画像処理部
３２  アナログ／ディジタル変換回路（Ａ／Ｄ）
３３  ディジタルシグナルプロセッサ（ＤＳＰ）
３４  ＣＣＤ駆動回路
３５  フレームメモリ
３６  バッファメモリ
３７  ストロボ駆動回路
３８  赤目軽減ＬＥＤ駆動回路
３９  ＣＰＵ（制御手段）
４０  ファインダ内表示回路
４１  ペン（選択手段）
４２  Ａ／ＤおよびＤ／Ａ変換回路
４５  タイマ
４８  インタフェース
５１  測光回路
５２  測色回路
５３  絞り駆動回路
５４  絞り
【図１】
0004437562.tif 000002
【図２】
0004437562.tif 000003
【図３】
0004437562.tif 000004
【図４】
0004437562.tif 000005
【図５】
0004437562.tif 000006
【図６】
0004437562.tif 000007
【図７】
0004437562.tif 000008
【図８】
0004437562.tif 000009
【図９】
0004437562.tif 000010
【図１０】
0004437562.tif 000011
【図１１】
0004437562.tif 000012
【図１２】
0004437562.tif 000013
【図１３】
0004437562.tif 000014